(57)【要約】【課題】紙とペンを用いて精度良く製図データを更新する。【解決手段】情報処理装置１０は、製図データの中から指定された領域に含まれる図面を、指定された印刷用紙の大きさに応じた倍率に変換した印刷対象図面と、印刷用紙上の任意の位置を特定するためのパターン画像とを合成して印刷情報を生成し、印刷用紙上の各点が製図データ上の如何なる点に対応するかを表す対応関係データを記憶する。電子ペン１４は、生成された印刷情報に基づいて印刷された印刷用紙上における電子ペン１４による記入位置を、印刷用紙上に印刷されたパターン画像に基づいて特定し、特定された記入位置の履歴を含む記入データを情報処理装置１０に転送する。情報処理装置１０は、転送された記入データに含まれる各記入位置を、対応関係データに基づいて製図データ上の位置に変換すると共に、変換した位置に基づいて製図データを更新する。【選択図】図１
2011090587.tif 000002
【特許請求の範囲】
【請求項１】
製図データ更新装置と、電子ペンとを含み、
前記製図データ更新装置は、
製図データの中から指定された領域に含まれる図面を、指定された印刷用紙の大きさに応じた倍率に変換した印刷対象図面と、前記印刷用紙上の任意の位置を特定するためのパターン画像とを合成して印刷情報を生成する生成手段と、
前記印刷用紙上の各点が前記製図データ上の如何なる点に対応するかを表す対応関係データを記憶する記憶手段と、を含み、
前記電子ペンは、
前記生成手段により生成された印刷情報に基づいて印刷された印刷用紙上における前記電子ペンによる記入位置を、当該印刷用紙上に印刷された前記パターン画像に基づいて特定する特定手段と、
前記特定手段により特定された記入位置の履歴を含む記入データを前記製図データ更新装置に転送する転送手段と、を含み、
前記製図データ更新装置はさらに、
前記転送手段により転送された記入データに含まれる各記入位置を、前記記憶手段に記憶される対応関係データに基づいて前記製図データ上の位置に変換すると共に、当該変換した位置に基づいて前記製図データを更新する更新手段を含む
ことを特徴とする製図データ更新システム。
【請求項２】
前記記入データは、前記電子ペンによる記入時の筆圧データの履歴を含み、
前記更新手段は、前記筆圧データに基づいて前記各記入位置の中から記入の始点と終点を特定すると共に、当該特定した記入の始点と終点に基づいて前記各記入位置を連結した図形データを前記製図データに追加する
ことを特徴とする請求項１に記載の製図データ更新システム。
【請求項３】
製図データの中から指定された領域に含まれる図面を、指定された印刷用紙の大きさに応じた倍率に変換した印刷対象図面と、前記印刷用紙上の任意の位置を特定するためのパターン画像とを合成して印刷情報を生成する生成手段と、
前記印刷用紙上の各点が前記製図データ上の如何なる点に対応するかを表す対応関係データを記憶する記憶手段と、
前記生成手段により生成された印刷情報に基づいて印刷された印刷用紙上にペンで記入された記入位置の履歴を含む記入データを取得する取得手段と、
前記取得手段により取得された記入データに含まれる各記入位置を、前記記憶手段に記憶される対応関係データに基づいて前記製図データ上の位置に変換すると共に、当該変換した位置に基づいて前記製図データを更新する更新手段と、を含む
ことを特徴とする製図データ更新装置。
【請求項４】
コンピュータを、
製図データの中から指定された領域に含まれる図面を、指定された印刷用紙の大きさに応じた倍率に変換した印刷対象図面と、前記印刷用紙上の任意の位置を特定するためのパターン画像とを合成して印刷情報を生成する生成手段と、
前記印刷用紙上の各点が前記製図データ上の如何なる点に対応するかを表す対応関係データを記憶する記憶手段と、
前記生成手段により生成された印刷情報に基づいて印刷された印刷用紙上にペンで記入された記入位置の履歴を含む記入データを取得する取得手段と、
前記取得手段により取得された記入データに含まれる各記入位置を、前記記憶手段に記憶される対応関係データに基づいて前記製図データ上の位置に変換すると共に、当該変換した位置に基づいて前記製図データを更新する更新手段として機能させるためのプログラム。
【発明の詳細な説明】
【技術分野】
【０００１】
本発明は、製図データ更新システム、製図データ更新装置及びプログラムに関する。
【背景技術】
【０００２】
建物を点検した結果を、建物の製図データに反映させる作業を行うことがある。こうした作業は、点検作業者が製図データを印刷した紙面に点検結果を記入した後に、製図データ編集者が紙面に記入された点検結果を製図データに反映させる手順で行うのが一般的であるが、製図データ編集者の負担を軽減するため、例えば下記の特許文献１のように、タブレットを利用してコンピュータに点検結果を直接入力して製図データを更新するようにしているものがある。
【先行技術文献】
【特許文献】
【０００３】
【特許文献１】特開平０９−０４４５３２号公報
【発明の概要】
【発明が解決しようとする課題】
【０００４】
しかしながら、従来の技術は、コンピュータの持ち込みができない場所では適用ができない上に、タブレットを用いてコンピュータの画面上に線を引くのと、紙に手書きで線を引くのとでは感覚が異なるため精度の要求される作業には不向きであった。
【０００５】
本発明の目的の一つは、紙とペンを用いて精度良く製図データを更新することができる製図データ更新システム、製図データ更新装置及びプログラムを提供することにある。
【課題を解決するための手段】
【０００６】
上記目的を達成するために、本発明の一態様に係る製図データ更新システムは、製図データ更新装置と、電子ペンとを含み、前記製図データ更新装置は、製図データの中から指定された領域に含まれる図面を、指定された印刷用紙の大きさに応じた倍率に変換した印刷対象図面と、前記印刷用紙上の任意の位置を特定するためのパターン画像とを合成して印刷情報を生成する生成手段と、前記印刷用紙上の各点が前記製図データ上の如何なる点に対応するかを表す対応関係データを記憶する記憶手段と、を含み、前記電子ペンは、前記生成手段により生成された印刷情報に基づいて印刷された印刷用紙上における前記電子ペンによる記入位置を、当該印刷用紙上に印刷された前記パターン画像に基づいて特定する特定手段と、前記特定手段により特定された記入位置の履歴を含む記入データを前記製図データ更新装置に転送する転送手段と、を含み、前記製図データ更新装置はさらに、前記転送手段により転送された記入データに含まれる各記入位置を、前記記憶手段に記憶される対応関係データに基づいて前記製図データ上の位置に変換すると共に、当該変換した位置に基づいて前記製図データを更新する更新手段を含む。
【０００７】
また、本発明の一態様では、前記記入データは、前記電子ペンによる記入時の筆圧データの履歴を含み、前記更新手段は、前記筆圧データに基づいて前記各記入位置の中から記入の始点と終点を特定すると共に、当該特定した記入の始点と終点に基づいて前記各記入位置を連結した図形データを前記製図データに追加することとする。
【０００８】
また、本発明の一態様に係る製図データ更新装置は、製図データの中から指定された領域に含まれる図面を、指定された印刷用紙の大きさに応じた倍率に変換した印刷対象図面と、前記印刷用紙上の任意の位置を特定するためのパターン画像とを合成して印刷情報を生成する生成手段と、前記印刷用紙上の各点が前記製図データ上の如何なる点に対応するかを表す対応関係データを記憶する記憶手段と、前記生成手段により生成された印刷情報に基づいて印刷された印刷用紙上にペンで記入された記入位置の履歴を含む記入データを取得する取得手段と、前記取得手段により取得された記入データに含まれる各記入位置を、前記記憶手段に記憶される対応関係データに基づいて前記製図データ上の位置に変換すると共に、当該変換した位置に基づいて前記製図データを更新する更新手段と、を含む。
【０００９】
また、本発明の一態様に係るプログラムは、コンピュータを、製図データの中から指定された領域に含まれる図面を、指定された印刷用紙の大きさに応じた倍率に変換した印刷対象図面と、前記印刷用紙上の任意の位置を特定するためのパターン画像とを合成して印刷情報を生成する生成手段と、前記印刷用紙上の各点が前記製図データ上の如何なる点に対応するかを表す対応関係データを記憶する記憶手段と、前記生成手段により生成された印刷情報に基づいて印刷された印刷用紙上にペンで記入された記入位置の履歴を含む記入データを取得する取得手段と、前記取得手段により取得された記入データに含まれる各記入位置を、前記記憶手段に記憶される対応関係データに基づいて前記製図データ上の位置に変換すると共に、当該変換した位置に基づいて前記製図データを更新する更新手段として機能させるためのプログラムである。
【発明の効果】
【００１０】
本発明の一態様によれば、印刷用紙における位置と製図データ上の位置の関係を対応づけておくことで、印刷された図面と製図データ上の図面との縮尺が異なっている場合であっても紙とペンを用いて製図データを精度良く更新することができる。
【００１１】
本発明の一態様によれば、印刷用紙への一連の記入を一纏めの図形として製図データに反映させることができる。
【図面の簡単な説明】
【００１２】
【図１】本実施形態に係る製図データ更新システムのシステム構成図である。
【図２】本実施形態に係る電子ペンの構成図の一例である。
【図３】情報処理装置の機能ブロック図である。
【図４】製図データの一例を示す図である。
【図５】紙座標特定パターンデータの一例を示す図である。
【図６】印刷図面の一例を示す図である。
【図７】対応関係データの一例を示す図である。
【図８】印刷用紙上の座標位置を製図データ上の座標位置に変換する処理の一例を説明する図である。
【図９】製図データの更新処理の一例を説明する図である。
【図１０】製図データ更新システムにおける処理のシーケンス図である。
【図１１】製図データの更新処理のフローチャートである。
【発明を実施するための形態】
【００１３】
以下、本発明の実施の形態（以下、実施形態という）を、図面に従って説明する。
【００１４】
図１には、本実施形態に係る製図データ更新システム１のシステム構成図を示す。図１に示されるように、製図データ更新システム１は、情報処理装置１０、印刷装置１２、及び電子ペン１４を含み構成される。情報処理装置１０と印刷装置１２とは相互にデータ通信可能に接続され、また情報処理装置１０と電子ペン１４とは、電子ペン１４に格納されたデータを情報処理装置１０に転送する際に有線又は無線により相互にデータ通信可能に接続される。
【００１５】
情報処理装置１０は、本発明の製図データ更新装置の機能を備えたコンピュータであって、ＣＡＤ（Computer Aided Design）データ等の製図データを処理し、製図データについて指定された少なくとも一部の領域を指定された大きさの印刷用紙に印刷する印刷データを生成すると共に、当該生成した印刷データに基づいて印刷した印刷図面に電子ペン１４により記入した線図等を元の製図データに反映する処理を行う。なお、上記処理を実行するために情報処理装置１０に備えられた機能の詳細については後述する。
【００１６】
印刷装置１２は、情報処理装置１０により生成された印刷データに基づいて、製図データについて指定された領域の図面と、印刷用紙上の各部の位置を特定するためのパターン画像とを合成して印刷するものである。上記のパターン画像は、印刷用紙の位置を符号化した符号パターンを当該位置に形成したものであり、例えばアノト（登録商標）パターン等の公知のパターンを用いることとしてよい。
【００１７】
電子ペン１４は、ペン機能に情報処理機能が付加された装置であって、具体的には印刷装置１２により印刷された印刷図面にペン機能により記入を行う際に、その記入した箇所の位置情報等のデータを記録すると共に、記録したデータを情報処理装置１０に転送する機能を備えた装置である。
【００１８】
図２には、本実施形態に係る電子ペン１４の構成図の一例を示す。図２に示されるように、電子ペン１４は、ペン機能部２０、筆圧センサ２２、カメラ２４、プロセッサ２６、クロック２８、メモリ３０、及び通信部３２を含み構成される。
【００１９】
ペン機能部２０は、貯蔵したインクをペン先から送り出して紙に線や文字等を記入するための構成であり、筆圧センサ２２は、ペン機能部２０のペン先が紙と接触している際の圧力を測定するものである。カメラ２４は、ペン先が紙と接触している間に記入箇所の周囲のパターンを撮像するものであり、プロセッサ２６はカメラ２４により撮像されたパターンを解析して当該パターンにより示される紙上の座標位置を算出して、当該算出した座標位置を所定の情報と関連づけた記入データをメモリ３０に格納する。上記の所定の情報とは、例えばクロック２８により計時されたタイムスタンプと、筆圧センサ２２により測定された筆圧データとを含むこととしてよい。また、座標位置等のデータの格納は、所定の時間間隔ごとに行うこととしてよい。そして、通信部３２は無線又は有線により情報処理装置１０と接続して、メモリ３０に格納されたデータを情報処理装置１０に転送するものである。
【００２０】
次に、情報処理装置１０に備えられた構成の詳細について説明する。図３には、情報処理装置１０の機能ブロック図を示した。図３に示されるように、情報処理装置１０は、入力受付部４０、製図データ格納部４２、製図データ処理部４４、紙座標特定パターン格納部４６、印刷情報生成部４８、座標対応情報管理部５０、記入データ取得部５２、座標情報変換部５４、及び製図データ更新部５６を含む。上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは情報記憶媒体によってコンピュータたる情報処理装置１０に供給されることとしてもよいし、インターネット等のデータ通信手段を介して供給されることとしてもよい。
【００２１】
入力受付部４０は、マウスやキーボード等の入力デバイスと接続し、入力デバイスから利用者の操作入力を受け付けるものである。
【００２２】
製図データ格納部４２は、半導体メモリや磁気ディスク等の記憶装置を含み構成され、ＣＡＤデータ等の製図データを格納するものである。
【００２３】
図４には、製図データ格納部４２に格納される製図データの一例を示す。図４に示されるように、製図データは製図データ固有の座標系を有しており、以後この座標系を製図座標系とする。製図座標系は、横軸にＸ軸、縦軸にＹ軸とし、製図座標系に表される図面の縮尺は現実の製図対象物の大きさに対応しているものとする。
【００２４】
製図データ処理部４４は、製図データ格納部４２に格納された製図データを処理するものであり、入力受付部４０により受け付けた操作入力に応じて製図データを編集したり、その一部を拡大、縮小表示したりするほか、製図データの中の指定の領域の印刷要求を受け付ける。本実施形態では、製図データ処理部４４は、例えば点Ａ（ｘ１，ｙ１）と点Ｂ（ｘ２，ｙ２）で規定される矩形領域（印刷対象領域Ｒ）を指定のサイズの印刷用紙に印刷する要求を受け付けることとする。
【００２５】
紙座標特定パターン格納部４６は、半導体メモリや磁気ディスク等の記憶装置を含み構成され、製図データから指定された印刷対象領域とともに印刷用紙に印刷する紙座標特定パターンを表すデータを格納するものである。紙座標特定パターン格納部４６には、印刷用紙に印刷するパターンを識別するパターンＩＤに関連づけて、当該パターンを表すパターンデータを格納することとしてよい。
【００２６】
図５には、紙座標特定パターンデータの一例を示す。図５に示されるように、紙座標特定パターンデータは紙座標特定パターン固有の座標系を有しており、以後この座標系を紙座標系とする。紙座標系は、横軸にＵ軸、縦軸にＶ軸とし、その縮尺は実際の紙面の大きさに対応しているものとする。紙座標系における各点には当該各点の座標に固有のパターンが形成されており、紙座標系から切り出された領域に含まれるパターンに基づいて当該領域が紙座標系のどの領域にあるかを特定することができる。
【００２７】
本実施形態では、例えば、所定の印刷用紙サイズ（例えばＡ４）に基づいて紙座標系を分割し、当該分割により得られたＵ軸及びＶ軸上の点をそれぞれｕ１，ｕ２，ｕ３，・・・，ｕｎ，・・・、そしてｖ１，ｖ２，ｖ３，・・・，ｖｎ，・・・とすると、各紙座標特定パターンはＩＤ（ｕｉ，ｕｊ）により識別される。そして、本実施形態では、上述した印刷対象領域ＲをＩＤ（ｕ０，ｖ０）、すなわち紙座標系の原点ａ（０，０）と点ｂ（ｕ１，ｖ１）とにより規定される紙面領域ｒのパターンと合成して印刷することとする。
【００２８】
印刷情報生成部４８は、製図データ処理部４４において印刷処理の対象となった印刷対象領域と、当該印刷対象領域を印刷する印刷用紙のサイズに基づいて選択した紙面領域のパターンとに基づいて印刷情報を生成するものである。例えば、印刷情報生成部４８は、印刷対象領域の図面を印刷用紙のサイズに応じた倍率（縮尺）に変換したビットマップ画像（印刷対象図面）と、上記選択した紙面領域の紙座標特定パターンのビットマップ画像とを合成して合成画像データを生成し、その合成画像データに基づく印刷情報を印刷装置１２に出力することとしてよい。なお、印刷情報を生成する毎に、紙座標系から固有の座標領域を抽出し、当該抽出した座標領域に含まれる紙座標特定パターンを用いて印刷情報を生成することとしてよい。
【００２９】
図６には、印刷情報生成部４８により生成された印刷情報に基づく印刷図面の一例を示す。図６に示されるように、印刷図面にはＩＤ（ｕ０，ｖ０）の紙座標特定パターンにより構成される紙面領域ｒと、印刷対象領域Ｒとが合成されて印刷用紙に形成される。本実施形態では、印刷対象領域の点Ａ，Ｂがそれぞれ紙面領域の点ａ，ｂにマッピングされるように印刷対象領域の画像を拡大又は縮小して両者を合成することとする。
【００３０】
座標対応情報管理部５０は、印刷情報生成部４８により生成される印刷情報に基づき印刷される印刷図面上の座標系（すなわち紙座標）と、製図データ上の座標系（すなわち製図座標系）との対応関係を管理するものである。本実施形態では、座標対応情報管理部５０は、印刷対象領域の縮尺、印刷対象領域の基準点、印刷対象領域の製図データ名、そして印刷対象領域と合成する紙面領域ＩＤとをそれぞれ関連づけて管理することとする。印刷対象領域の縮尺は、印刷対象領域の実際の大きさ（製図データ上の大きさ）と印刷時の大きさとの比であり、印刷対象領域の基準点は印刷対象領域の製図データ上の位置を規定する座標情報であり、例えば印刷領域Ｒであれば矩形領域の左下の頂点Ａ（ｘ１，ｙ１）と右上の頂点Ｂ（ｘ２，ｙ２）を基準点としてもよいし、予め印刷する用紙のサイズが定まっている場合には左下の頂点Ａのみを基準点としてもよい。印刷対象領域の製図データ名は、印刷対象領域を含む製図データを特定するための識別情報である。
【００３１】
図７には、座標対応情報管理部５０により管理される、印刷図面上の座標系と製図データ上の座標系との対応関係を表す対応関係データの一例を示す。図７に示されるように、対応関係テーブルは、印刷情報を識別する印刷ＩＤに関連づけて、印刷対象領域の縮尺、印刷対象領域の基準点、製図データ名、紙面領域ＩＤを格納したテーブル情報として生成されることとしてよい。
【００３２】
印刷情報生成部４８により生成された印刷情報に基づいて印刷装置１２により印刷された印刷図面に電子ペン１４により線等を記入した場合には、上述したように電子ペン１４のメモリに記入した印刷図面上の座標位置（紙座標系の座標位置）と、記入時の筆圧データ、記入時のタイムスタンプ（以下、これらのデータを含めて記入データとする）が順次記録される。
【００３３】
記入データ取得部５２は、電子ペン１４の通信部３２と接続して、電子ペン１４のメモリに格納された記入データを取得するものである。記入データ取得部５２は、電子ペン１４と有線又は無線で通信して記入データを取得することとしてよく、記入データの取得タイミングは電子ペン１４と接続されたタイミングであってもよいし、電子ペン１４と常時接続されている場合には電子ペン１４から逐次記入データの転送を受けることでリアルタイムに記入データを取得することとしてもよい。
【００３４】
座標情報変換部５４は、記入データ取得部５２により取得された記入データに含まれる紙面上の座標位置を、製図データ上の座標位置に変換するものである。
【００３５】
図８には、印刷用紙上の座標位置を製図データ上の座標位置に変換する処理の一例を説明する図を示した。図８において、印刷対象領域Ｒと紙面領域ｒとの縮尺はα：１であるとする。そして、印刷図面上で点Ｐ（ｕ，ｖ）の位置に電子ペン１４により記入が行われた場合には、この点Ｐに対応する製図データ上の座標位置点Ｐ′（ｘ，ｙ）は、ｘ＝ｘ１＋α・（ｕ−ｕ０）、ｙ＝ｙ１＋α・（ｖ−ｖ０）となる。なお、紙座標系の基準点（ｕ０，ｖ０）と製図座標系の基準点（ｘ１，ｙ１）とはそれぞれ印刷図面において互いにマッピングされる対応点である。
【００３６】
製図データ更新部５６は、座標情報変換部５４により座標が変換された記入データに基づいて、印刷対象領域を含む製図データを更新するものである。本実施形態では、製図データ更新部５６は、座標位置が製図座標系に変換された記入データについて、タイムスタンプが古い順に記入データに格納される各レコードをソートし、当該ソートしたレコードのタイムスタンプが古い順に、筆圧データが「０」を区切りとして位置座標をグループ化する。そして、製図データ更新部５６は、各グループに含まれる点を連結した折れ線データ（ベクトルデータ）をそれぞれ生成し、当該生成した折れ線データを製図データに追加して製図データを更新する。
【００３７】
図９には、製図データの更新処理の一例を説明する図を示した。図９に示されるように、印刷図面上に電子ペン１４を用いて線が記入されたとすると、当該線を表す位置座標群が製図データ上の位置座標群に変換されると共に、当該変換された位置座標群の各要素をタイムスタンプ順に連結した折れ線が製図データ上の新たな図形要素として追加される。
【００３８】
次に、図１０及び図１１を参照しながら、本実施形態に係る製図データ更新システム１における処理の流れについて説明する。
【００３９】
図１０は、製図データ更新システム１における処理のシーケンス図である。図１０に示されるように、情報処理装置１０は、製図データの印刷要求を受け付けると（Ｓ１０１）、受け付けた印刷要求の対象となる製図データ、印刷基準点、縮尺、印刷対象領域等の印刷に必要な印刷基礎データを取得する（Ｓ１０２）。情報処理装置１０は、印刷用紙の大きさに基づいて、印刷用紙の背景に形成する紙座標特定パターンを取得し（Ｓ１０３）、印刷パターンの座標情報と、印刷対象領域の座標情報とを対応づけた対応関係データを生成する（Ｓ１０４）。
【００４０】
情報処理装置１０は、印刷対象領域の図面データと、紙座標特定パターンとに基づいて印刷情報を生成し（Ｓ１０５）、生成した印刷情報を印刷装置１２に出力する（Ｓ１０６）。印刷装置１２は、情報処理装置１０から入力された印刷情報に基づいて印刷用紙に紙座標特定パターンと印刷対象領域の図面とを合成した印刷図面を印刷出力する（Ｓ１０７）。
【００４１】
利用者は電子ペン１４を用いて、印刷装置１２により印刷出力された印刷図面に線等を記入すると（Ｓ１０８）、電子ペン１４は記入された位置座標、筆圧データ、タイムスタンプ等の記入データを取得しメモリに格納する（Ｓ１０９）。電子ペン１４に格納された記入データは、情報処理装置１０との有線又は無線の接続により情報処理装置１０に転送され（Ｓ１１０）、情報処理装置１０は、電子ペン１４から転送された記入データに基づいて製図データの更新処理を行う（Ｓ１１１）。製図データの更新処理の詳細については、図１１を参照しながら説明する。
【００４２】
図１１には、製図データの更新処理のフローチャートを示した。図１１に示されるように、情報処理装置１０は、電子ペン１４から記入データを取得すると（Ｓ２０１）、取得した記入データに含まれる座標情報を紙座標系から製図座標系へと変換する（Ｓ２０２）。そして、情報処理装置１０は、変換した製図座標系の座標情報に基づいて電子ペン１４により記入された線を表す折れ線データを生成し（Ｓ２０３）、生成した折れ線データを追加して（Ｓ２０４）、製図データを更新する。なお、製図データの更新処理は、上記生成した折れ線データを製図データに反映させる処理としてよい。以上の処理により製図データの更新処理を終了する。
【００４３】
以上説明した本実施形態に係る製図データ更新システム１によれば、製図データのように製図データ上の図面と製図データを印刷した印刷図面との縮尺が異なる場合にも、両者の座標関係の対応を管理することで、製図データを印刷した印刷図面に電子ペン１４を用いて線を記入する作業により製図データの更新を行うことができる。また、本実施形態では、製図データに基づく印刷対象領域の図面と、紙座標特定パターンとをデータ処理により合成しておくことにより、印刷図面に記入された位置が厳密に製図データに反映されることとなり、予め紙座標特定パターンが形成された印刷用紙に図面を形成する場合に比して、電子ペン１４を用いた製図データの編集精度を向上させることができる。
【００４４】
また、本発明は上述した実施形態に限定されるものではなく、例えば情報処理装置１０は電子ペン１４から逐次記入データのデータ転送を受けて、電子ペン１４により記入された情報を製図データに即時に反映させることとしてもよい。
【００４５】
また、上記の実施形態では、製図データを印刷する毎に異なる領域の紙座標特定パターンを用いることで各印刷図面を識別することとしているが、印刷の度に必ずしも異なる領域の紙座標特定パターンを用いることとしなくともよい。同じ領域の紙座標特定パターンを複数の印刷図面において用いた場合には、記入データに基づく製図データの更新時に利用者により選択された製図データを更新することとしてもよいし、該当する製図データをすべて更新することとしても構わない。また、本発明はＣＡＤデータ以外の多様な形式の製図データの更新に適用することができるのはもちろんである。
【符号の説明】
【００４６】
１  製図データ更新システム、１０  情報処理装置、１２  印刷装置、１４  電子ペン、２０  ペン機能部、２２  筆圧センサ、２４  カメラ、２６  プロセッサ、２８  クロック、３０  メモリ、３２  通信部、４０  入力受付部、４２  製図データ格納部、４４  製図データ処理部、４６  紙座標特定パターン格納部、４８  印刷情報生成部、５０  座標対応情報管理部、５２  記入データ取得部、５４  座標情報変換部、５６  製図データ更新部。
【図１】
2011090587.tif 000003
【図２】
2011090587.tif 000004
【図３】
2011090587.tif 000005
【図４】
2011090587.tif 000006
【図５】
2011090587.tif 000007
【図６】
2011090587.tif 000008
【図７】
2011090587.tif 000009
【図８】
2011090587.tif 000010
【図９】
2011090587.tif 000011
【図１０】
2011090587.tif 000012
【図１１】
2011090587.tif 000013